(57)【特許請求の範囲】
【請求項１】
着用状態で互いに交差する上下方向と横方向とを有し、前ウエスト域と、後ウエスト域と、前記前後ウエスト域間に位置するクロッチ域と、ウエスト開口と、一対のレッグ開口と、前記クロッチ域から前記前ウエスト域及び前記後ウエスト域にまで延びる吸収体とを含む使い捨ておむつにおいて、
前記前後ウエスト域の少なくとも一方のウエスト域では、前記吸収体の前記上下方向における上端と前記ウエスト開口の周縁との間において前記横方向へ伸長状態で延びていて前記ウエスト域の両側縁部に届く複数条のウエスト弾性体が並列して弾性域を形成し、
前記ウエスト弾性体は、第１ウエスト弾性体と第２ウエスト弾性体とを含み、前記第１ウエスト弾性体は前記第２ウエスト弾性体の伸長力よりも低い伸長力を有するものであり、
前記少なくとも一方のウエスト域では、前記第１ウエスト弾性体が前記弾性域の最上部に位置し、前記第１ウエスト弾性体の下方に少なくとも２条の前記第２ウエスト弾性体が位置し、
前記２条の第２ウエスト弾性体の間に前記第１ウエスト弾性体が位置し、
前記上下方向において、前記前ウエスト域に位置する２条の前記第２ウエスト弾性体の端縁の位置と、前記後ウエスト域に位置する２条の前記第２ウエスト弾性体の端縁の位置とが異なることを特徴とするおむつ。
【請求項２】
前記第１ウエスト弾性体と前記第２ウエスト弾性体とを交互に配置してある請求項１に記載のおむつ。
【請求項３】
前記第２ウエスト弾性体が前記弾性域の最下部に位置している請求項１又は２に記載のおむつ。
【請求項４】
前記上下方向において隣接する前記ウエスト弾性体の離間寸法が２．０−５．０ｍｍの範囲にある請求項１〜３のいずれかに記載のおむつ。
【請求項５】
前記前ウエスト域と前記後ウエスト域とは前記横方向に位置する側縁部どうしを互いに接合して前記ウエスト開口を形成しており、
前記ウエスト弾性体は、前記前後ウエスト域のそれぞれに複数条配置されていて、互いに接合している前記側縁部において少なくとも部分的に重なり合うものを含んでいる請求項１−４のいずれかに記載のおむつ。
【請求項６】
前記第１ウエスト弾性体の繊度は、２００−４７０ｄｔｅｘの範囲にあり、
前記第２ウエスト弾性体の繊度は、４７０−７８０ｄｔｅｘの範囲にある請求項１−５のいずれかに記載のおむつ。
【請求項７】
前記前後ウエスト域は、前記上下方向における寸法が５ｍｍの範囲内にある端縁域に前記ウエスト弾性体が配置されていない請求項１−６のいずれかに記載のおむつ。
【請求項８】
前記後ウエスト域における前記第１ウエスト弾性体と前記第２ウエスト弾性体とのうち少なくとも一方は、その伸長力が前記前ウエスト域における少なくとも一方の弾性体よりも伸長力が高いものである請求項１−７のいずれかに記載のおむつ。
【請求項９】
前記前後ウエスト域の少なくとも一方の肌対向面側には、前記横方向へ弾性的に伸長可能な不織布が伸長状態及び非伸長状態のいずれか一方で配置されている請求項１−８のいずれかに記載のおむつ。
【請求項１０】
前記前後ウエスト域の少なくとも一方の前記ウエスト域における着衣対向面が熱可塑性合成樹脂の不織布で形成されていて、前記不織布には、互いに離間した多数のエンボス加工部が形成されている請求項１−９のいずれかに記載のおむつ。
【請求項１１】
前記クロッチ域は、前記吸収体の前記横方向の外側に、前記上下方向へ延びていて前記上下方向において弾性的に伸長、収縮するカフを有する請求項１−１０のいずれかに記載のおむつ。
【発明の詳細な説明】
【技術分野】
【０００１】
本発明は、使い捨ておむつに関する。
【背景技術】
【０００２】
従来、複数条の弾性体が伸長状態で胴回り方向へ延びている使い捨ておむつは公知である。例えば、特許文献１に開示されているプルオンタイプのおむつは、ウエスト開口の周縁に沿って胴回り方向へ延びる弾性体の伸長力が、ウエスト開口とレッグ開口との間において胴回り方向へ延びる弾性体の伸長力よりも高いものである。
【０００３】
このおむつによれば、ウエスト開口の周縁に沿って延びる弾性体の伸長力が高いことによって、着用中のおむつがずり下がるのを防止することができる。
【先行技術文献】
【特許文献】
【０００４】
【特許文献１】特開２０１３−８１８６９号公報
【発明の概要】
【発明が解決しようとする課題】
【０００５】
特許文献１に開示されたおむつでは、おむつを着用した乳幼児が座位の姿勢にあって、腹部が前方に向かってふくらんだ状態になると、その腹部には弾性体の収縮力が局所的に強く作用して、肌が赤くなる等の肌トラブルが発生するおそれがある。
【０００６】
一方、ウエスト開口の周縁に沿って延びる弾性体の伸長力が低いおむつでは、乳幼児が座位の姿勢にあるときに、ウエスト開口の周縁がめくれ易いということがある。
【０００７】
本発明が課題とするところは、ウエスト開口の周縁が肌を刺激することなくめくれにくくなるように改良された使い捨ておむつの提供を課題にしている。
【課題を解決するための手段】
【０００８】
本発明は、着用状態で互いに交差する上下方向と横方向とを有し、前ウエスト域と、後ウエスト域と、前記前後ウエスト域間に位置するクロッチ域と、ウエスト開口と、一対のレッグ開口と、前記クロッチ域から前記前ウエスト域及び前記後ウエスト域にまで延びる吸収体とを含む使い捨ておむつに関する。
【０００９】
本発明に係るおむつは、前記前後ウエスト域の少なくとも一方のウエスト域では、前記吸収体の前記上下方向における上端と前記ウエスト開口の周縁との間において前記横方向へ伸長状態で延びていて前記ウエスト域の両側縁部に届く複数条のウエスト弾性体が並列して弾性域を形成し、前記ウエスト弾性体は、第１ウエスト弾性体と第２ウエスト弾性体とを含み、前記第１ウエスト弾性体は前記第２ウエスト弾性体の伸長力よりも低い伸長力を有するものであり、前記少なくとも一方のウエスト域では、前記第１ウエスト弾性体が前記弾性域の最上部に位置し、前記第１ウエスト弾性体の下方に少なくとも１条の前記第２ウエスト弾性体が位置し、前記２条の第２ウエスト弾性体の間に前記第１ウエスト弾性体が位置し、前記上下方向において、前記前ウエスト域に位置する２条の前記第２ウエスト弾性体の端縁の位置と、前記後ウエスト域に位置する２条の前記第２ウエスト弾性体の端縁の位置とが異なる。
【発明の効果】
【００１０】
本発明に係るおむつの前後ウエスト域のうちの少なくとも一方のウエスト域では、第２ウエスト弾性体よりも低い伸長力を有する第１ウエスト弾性体が弾性域の最上部に位置していることによって、おむつを着用したときに、肌を圧迫することなくウエスト開口の周縁を肌に沿わせることができる。そのような第１ウエスト弾性体の下方に伸長力の高い第２ウエスト弾性体が位置していることによって、着用したおむつのウエスト開口の周縁がめくれることを防止したり、ずり下がることを防止したりすることができる。
【図面の簡単な説明】
【００１１】
図面は、本発明に係る使い捨ておむつの特定の実施の形態を示し、発明の不可欠な構成ばかりでなく、選択的及び好ましい実施の形態を含む。
【図１】本発明に係る第１実施形態の使い捨ておむつの正面図。
【図２】図１のおむつのサイドシーム部における接合を解いて、おむつを平面状に伸展させて得られる伸展おむつの部分破断平面図。
【図３】前ウエストパネルの部分破断図。
【図４】後ウエストパネルの部分破断図。
【図５】前ウエスト弾性体の配置と後ウエスト弾性体の配置とを示すおむつの部分側面図。
【図６】実施形態の他の一例を示す図４と同様な図。
【図７】実施形態の他の一例を示す図４と同様な図。
【図８】実施形態の他の一例を示す図３と同様な図。
【発明を実施するための形態】
【００１２】
下記の各実施の形態は、本発明の不可欠な構成ばかりでなく、選択的に採用できる構成、組み合わせて採用できる構成及び好ましい構成を含む。
【００１３】
［第１実施形態］
図１において、第１実施形態のプルオンタイプの使い捨ておむつ１０は、後記する各種弾性体が弛緩した状態にある。おむつ１０は、互いに交差する横方向Ｘと縦方向Ｙとを有し、横方向Ｘと縦方向Ｙとはまた、着用状態にあるときのおむつ１０における横方向と上下方向でもある。プルオンタイプの使い捨ておむつ１０とは、図示例の如くウエスト開口１５及び一対のレッグ開口１６を有し、着用者の両脚それぞれをレッグ開口１６に通した後、ウエスト開口１５の周縁１５ａをウエストにまで引き上げて着用するタイプの使い捨てのおむつ１０を意味し、パンツ型おむつと呼ばれることもある。
【００１４】
図２は、図１のおむつ１０における後記サイドシーム部１４での前ウエストパネル２０と後ウエストパネル３０との接合を解いて、おむつ１０を平面状に伸展させて得られる伸展おむつ１０ａの部分破断平面図である。図２における双頭矢印Ｙは、その矢印で示す方向が図１のおむつ１０における縦方向であることを示している。伸展おむつ１０ａは、横方向Ｘの寸法を２等分して縦方向Ｙへ延びる縦中心線Ｐと、縦方向Ｙの寸法を２等分して横方向Ｘへ延びる横中心線Ｑとを有し、縦中心線Ｐに関して対称に形成されている。なお、本明細書において、「おむつ１０の平面視において互いに重なる」というときには、伸展おむつ１０ａの厚さ方向において重なり合う関係にあることを意味する。
【００１５】
図１，２において、おむつ１０は、前ウエストパネル２０と後ウエストパネル３０と、クロッチパネル４０とを有し、それぞれのパネル２０，３０，４０が肌対向面と、その反対面である着衣対向面とを有している。前ウエストパネル２０は前ウエスト域１１を形成し、後ウエストパネル３０は後ウエスト域１２を形成し、クロッチパネル４０はクロッチ域１３を形成している。図１における前ウエストパネル２０と後ウエストパネル３０とは、後記する前側縁部２０Ｃと後側縁部３０Ｃとの肌対向面どうしが向かい合う状態にあって、超音波加工又は熱エンボス加工によって形成されるサイドシーム部１４において接合している。クロッチパネル４０は、縦方向Ｙにおける両端部それぞれの着衣対向面が前ウエストパネル２０と後ウエストパネル３０それぞれの肌対向面にホットメルト接着剤ＨＡ１によって接合している（図２参照）。おむつ１０には、ウエスト開口１５と一対のレッグ開口１６とが形成されている。
【００１６】
図２において、前後ウエストパネル２０，３０のそれぞれは、横方向Ｘへ延びる下端縁２０Ａ，３０Ａと、縦方向Ｙにおいて下端縁２０Ａ，３０Ａと離間対向している上端縁２０Ｂ，３０Ｂとを有し、下端縁２０Ａと上端縁２０Ｂとの間、下端縁３０Ａと上端縁３０Ｂ間との間には、一対の前側縁部２０Ｃと、一対の後側縁部３０Ｃとが延びている（図１を併せて参照）。
【００１７】
前ウエストパネル２０は、肌対向面を形成している内面シート２１ａと、着衣対向面を形成している外面シート２１ｂと含む。内面シート２１ａ及び／又は外面シート２１ｂには、これらシート２１ａと２１ｂとの間において横方向Ｘへ延びる糸状又は帯状の複数条の前ウエスト弾性体２４が伸長状態で収縮可能に取り付けられている。前ウエスト弾性体２４は、クロッチパネル４０における後記吸収体４２の縦方向Ｙに位置する上端縁４２Ａとウエスト開口１５の周縁１５ａとの間に位置するもので、前ウエストパネル２０の前側縁部２０Ｃのそれぞれに届くように延びている。前ウエストパネル２０には、前ウエスト弾性体２４によって横方向Ｘへの弾性的な伸長と収縮とが可能な前ウエスト弾性域２５が形成されている。図１のおむつ１０では、前ウエスト弾性域２５に多数のギャザー２５ａが形成されている。
【００１８】
図３は、前ウエストパネル２０の部分破断図である。前ウエストパネル２０は、前ウエスト弾性域２５の他に、前ウエストパネル２０の下端縁２０Ａと前ウエスト弾性域２５との間に複数条の補助弾性体２４Ｃによって形成された前側補助弾性域２７を含む。
【００１９】
前ウエスト弾性域２５は、ウエスト開口１５の周縁１５ａに沿って横方向Ｘへ延びている。前側補助弾性域２７は前ウエスト弾性域２５に並行して横方向Ｘへ延びている。前側補助弾性域２７の下方には、弾性体を含むことのない前側非弾性域２９が必要に応じて形成される。前ウエスト弾性域２５は、クロッチパネル４０に含まれた体液吸収性の吸収体４２の上端縁４２Ａよりも上方、より好ましくはクロッチパネル４０の上端縁４０Ａよりも上方に位置していて、クロッチパネル４０の影響をほとんど受けることなく伸長、収縮できるようにしてある。
【００２０】
図３に示すように、前ウエスト弾性体２４は、第１ウエスト弾性体２６ａと、第２ウエスト弾性体２６ｂとを含んでいる。なお、図面において第１ウエスト弾性体２６ａと第２ウエスト弾性体２６ｂとの識別を容易にするために、第１ウエスト弾性体２６ａは細い線で、第２ウエスト弾性体２６ｂは太い線で示してある。第１ウエスト弾性体２６ａは、その伸長力が第２ウエスト弾性体２６ｂの伸長力よりも低いもので、例えば、繊度が２００−４７０ｄｔｅｘであるスパンデックスを２．２−３．０倍に伸長することによって得ることができる。第２ウエスト弾性体２６ｂは、例えば、繊度が４７０−７８０ｄｔｅｘのスパンデックスを２．２−３．０倍に伸長することによって得ることができる。おむつ１０において、第１ウエスト弾性体２６ａと第２ウエスト弾性体２６ｂとの伸長倍率を同じにするときには、第２ウエスト弾性体２６ｂよりも繊度の小さい第１ウエスト弾性体２６ａを使用する。第１ウエスト弾性体２６ａと第２ウエスト弾性体２６ｂの繊度を同じにするときには、第２ウエスト弾性体２６ｂよりも伸長倍率の小さい第１ウエスト弾性体２６ａを使用する。おむつ１０の具体的な一例においては、第１ウエスト弾性体２６ａは、繊度が３１０ｄｔｅｘのスパンデックスを２．６倍にまで伸長して使用する。第２ウエスト弾性体２６ｂは、繊度が６２０ｄｔｅｘのスパンデックスを２．６倍にまで伸長して使用する。高い伸長力を有している第２ウエスト弾性体２６ｂは、その収縮力も第１ウエスト弾性体２６ａの収縮力よりも高いものである。
【００２１】
前ウエスト弾性域２５では、少なくともその最上部に第１ウエスト弾性体２６ａが配置される。図３の例では、その第１ウエスト弾性体２６ａに下方から隣接するように、すなわち上から２条目の弾性体として、第１ウエスト弾性体２６ａが配置してある。上から３条目の弾性体としては、第２ウエスト弾性体２６ｂが第１ウエスト弾性体２６ａに隣接するように配置してある。上から４−６条目の弾性体としては、３条の第１ウエスト弾性体２６ａが並列するように配置してある。上から７条目の弾性体としては、第２ウエスト弾性体２６ｂが配置してある。縦方向Ｙにおいて、互いに隣接する前ウエスト弾性体２４どうしの離間寸法は、２．０−５．０ｍｍの範囲にある。
【００２２】
上記のように第１及び第２ウエスト弾性体２６ａ，２６ｂが配置してある前ウエストパネル２０の前ウエスト弾性域２５では、第２ウエスト弾性体２６ｂどうしが隣接した状態で配置されるということがない。
【００２３】
前ウエストパネル２０はまた、上端縁２０Ｂからその下方２−１０ｍｍまでの範囲内、より好ましくは２−５ｍｍまでの範囲に第１及び第２ウエスト弾性体２６ａ，２６ｂを含むことがない。換言すれば、前ウエストパネル２０の上端縁２０Ｂに、第１及び第２ウエスト弾性体２６ａ，２６ｂが位置することはない。
【００２４】
前側補助弾性域２７における補助弾性体２４Ｃには、例えば３１０−９４０ｄｔｅｘのスパンデックスを１．５−２．８倍に伸長した状態で使用することができる。互いに隣接する補助弾性体２４Ｃの離間寸法は、５−２０ｍｍの範囲にある。
【００２５】
図４を参照すると、後ウエストパネル３０は肌対向面を形成する内面シート３１ａと、着衣対向面を形成する外面シート３１ｂとを含む。内面シート３１ａと外面シート３１ｂとの間には横方向Ｘへ延びる糸状又は帯状の複数条の後ウエスト弾性体３４と複数条の第１補助弾性体３４Ｂとがいずれも伸長状態で介在し、内面シート３１ａ及び外面シート３１ｂのうちの少なくとも一方にホットメルト接着剤（図示せず）を使用して収縮可能に取り付けられている。
【００２６】
後ウエスト弾性体３４は、ウエスト開口１５の周縁１５ａである後ウエストパネル３０の上端縁３０Ｂに沿って両側縁部３０Ｃ間に延びる後ウエスト弾性域３５を形成している。後ウエストパネル３０はまた、後ウエストパネル３０の下方において横方向Ｘへ伸長状態で延びる複数条の第１補助弾性体３４Ｂが吸収体４２を横断しておらず、横方向Ｘにおいて吸収体４２と側縁部３０Ｃとの間に位置している。
【００２７】
複数条の第１補助弾性体３４Ｂは、吸収体４２を介して横方向Ｘにおいて離間対向する一対の第１補助弾性域３７を形成し、第１補助弾性域３７どうしの間には、後非弾性域３９が形成されている。図４において、後ウエスト弾性域３５と第１補助弾性域３７は、吸収体４２と実質的に重なることがないように形成されている。
【００２８】
後ウエスト弾性体３４は、吸収体４２の縦方向Ｙに位置する上端縁４２Ｂとウエスト開口１５の周縁１５ａとの間、より好ましくはクロッチパネル４０の上端縁４０Ｂと周縁１５ａとの間にあり、後ウエストパネル３０の後側縁部３０Ｃに届くように延びている。後ウエスト弾性体３４は、第１ウエスト弾性体３６ａと、第２ウエスト弾性体３６ｂとを含んでいる。第１ウエスト弾性体３６ａはその伸長力が、第２ウエスト弾性体３６ｂの伸長力よりも低いもので、例えば、繊度が２００−４７０ｄｔｅｘのスパンデックスを２．２−３．０倍にまで伸長することによって得ることができる。第２ウエスト弾性体３６ｂは、例えば、繊度が４７０−６２０ｄｔｅｘのスパンデックスを２．２−３．０倍にまで伸長することによって得ることができる。第１ウエスト弾性体３６ａと第２ウエスト弾性体３６ｂとの伸長倍率を同じにするときには、第２ウエスト弾性体３６ｂよりも繊度の小さい第１ウエスト弾性体３６ａを使用する。第１ウエスト弾性体３６ａと第２ウエスト弾性体３６ｂとの繊度を同じにするときには、第２ウエスト弾性体３６ｂよりも伸長倍率の小さい第１ウエスト弾性体３６ａを使用する。おむつ１０の具体的一例において、第１ウエスト弾性体３６ａとして、繊度が３１０ｄｔｅｘのスパンデックスを２．６倍にまで伸長したものを使用し、第２ウエスト弾性体３６ｂとして、繊度が６２０ｄｔｅｘのスパンデックスを２．６倍にまで伸長したものを使用する。かかる第２ウエスト弾性体３６ｂは、その伸長力と収縮力とが第１ウエスト弾性体３６ａの伸長力と収縮力よりも高いものである。
【００２９】
後ウエスト弾性域３５において、最上部には、少なくとも１条の第１ウエスト弾性体３６ａが配置される。図示例においては、最上部の第１ウエスト弾性体３６ａを含めて合計７条の第１ウエスト弾性体３６ａが並列している。上方から７番目の第１ウエスト弾性体３６ａには下方から１条の第２ウエスト弾性体３６ｂが隣接している。その第２ウエスト弾性体３６ｂには、下方から１条の第１ウエスト弾性体３６ａが隣接している。また、その第１ウエスト弾性体３６ａには、下方から１条の第２ウエスト弾性体３６ｂが隣接している。その第２ウエスト弾性体３６ｂには、下方から１条の第１ウエスト弾性体３６ａが隣接している。後ウエスト弾性体３４どうしの離間寸法は、２．０−５．０ｍｍの範囲にある。図示例の後ウエストパネル３０では、前ウエストパネル２０における前ウエスト弾性体２４どうしの離間寸法よりも大きくなっている。
【００３０】
このように形成されている後ウエストパネル３０の後ウエスト弾性域３５では、第２ウエスト弾性体３６ｂどうしが隣接するということがない。
【００３１】
後ウエストパネル３０はまた、上端縁３０Ｂからその下方２−１０ｍｍまでの範囲内、より好ましくは２−５ｍｍまでの範囲に第１及び第２ウエスト弾性体３６ａ，３６ｂを含むことがない。換言すれば、後ウエストパネル３０の上端縁３０Ｂに、第１及び第２ウエスト弾性体３６ａ，３６ｂが位置することはない。
【００３２】
第１補助弾性体３４Ｂには、例えば、繊度が３１０−９４０ｄｔｅｘのスパンデックスを２．８−３．８倍に伸長して使用することができる。
【００３３】
第１補助弾性体３４Ｂどうしの離間寸法は２．５−５ｍｍの範囲にある。
【００３４】
＜クロッチパネル＞
図２を参照すると、クロッチパネル４０は、一方の上端縁４０Ａと、他方の上端縁４０Ｂと、両上端縁４０Ａ，４０Ｂ間に位置する両側縁部４０Ｃとを有する。クロッチパネル４０は、おむつ１０の肌対向面の一部を形成している不織布製の透液性ライナ４１と、吸収体４２と、吸収体４２を着衣対向面の側から被覆する不透液性のプラスチックフィルムで形成された防漏シート（図示せず）と、防漏シートを被覆していてクロッチパネル４０における着衣対向面を形成する不織布製の被覆シート４４（図１参照）とを含む。
【００３５】
吸収体４２は、一方の上端縁４２Ａと、他方の上端縁４２Ｂと、両上端縁４２Ａ，４２Ｂそれぞれにつながる両側縁部４２Ｃを有する。吸収体４２は、フラッフパルプと高吸水性ポリマー粒子との混合物から形成された体液吸収性のコア４２Ｄと、コア４２Ｄを被包するティシュペーパ等から形成された液透過性にして液拡散性のコアラップシート４２Ｅとを有する。
【００３６】
被覆シート４４は、吸収体４２の両側縁部４２Ｃのそれぞれから横方向Ｘへ延出する両側部４５を有し、両側部４５のそれぞれが縦中心線Ｐに並行する折曲線６１において縦中心線Ｐに向かって折り重ねられている。重なり合う両側部４５は、前ウエストパネル２０及び後ウエストパネル３０と重なる部分がホットメルト接着剤ＨＡ１によって前後ウエストパネル２０，３０のそれぞれに接合されている。折り重ねられた側部４５どうしは、前後端部５０ａ，５０ｂにおいてホットメルト接着剤ＨＡ２によって接合されている。折り重ねられた側部４５どうしはまたホットメルト接着剤ＨＡ３によって接合されて脚回りフラップ部５１を形成している。脚回りフラップ部５１には、複数条の脚回り弾性体４９が伸長状態で取り付けられている。折り重ねられた側部４５どうしはまた、脚回りフラップ部５１よりも内側の部分においては非接合状態にあって、防漏カフ部５２を形成している。防漏カフ部５２の縁部５２ａには、縦中心線Ｐに並行して延びるスリーブ５２ｂが形成され、スリーブ５２ｂの内部には、弾性体４８が伸長状態で取り付けられている。着用状態にあるおむつ１０のクロッチパネル４０では、脚回り弾性体４９が伸長、収縮することにより、脚回りフラップ部５１がおむつ着用者（図示せず）の脚回りに弾性的にフィットする。また、弾性体４８が収縮することにより、図２において吸収体４２と対向するように倒伏していた防漏カフ部５２の縁部５２ａがおむつ着用者の鼠蹊部や脚部に接近又は接触するように起立する。
【００３７】
このように作られているおむつ１０によれば、前後ウエスト域１１，１２では、ウエスト開口１５の周縁１５ａに沿って延びる前ウエスト弾性域２５と後ウエスト弾性域３５それぞれの最上部に低い伸長力を有する第１ウエスト弾性体２６ａ，３６ａが位置していることによって、ウエスト開口１５の周縁１５ａとそれに沿う部分とを締め付けることなく肌に沿わせることができて、おむつ１０は着用感と外観とがよいものになる。また、おむつ着用者が座位の姿勢にあったり、座位の姿勢にあって前かがみの姿勢になったりしたときでも、ウエスト開口１５の周縁１５ａとそれに沿う部分とはめくれ易いということがない。そのような第１ウエスト弾性体２６ａ，３６ａの下方には伸長力の高い第２ウエスト弾性体２６ｂ，３６ｂを１条だけ存在させてウエスト開口１５の周縁１５ａに沿う部分を下方から支えるので、伸長力の高い弾性部材を複数条並列させた場合に経験する腹部に対する強い締め付けを生じさせることなく、周縁１５ａに沿う部分のめくれを防ぐことができる。それと同時に、おむつ１０がずり下がることも防ぐことができる。このように、前ウエスト弾性域２５と後ウエスト弾性域３５では、伸長力の高い第２ウエスト弾性体２６ｂ，３６ｂに隣接する弾性体が伸長力の低い第１ウエスト弾性体２６ａ，３６ａであって、第２ウエスト弾性体２６ｂどうし及び／又は第２ウエスト弾性体３６ｂどうしは隣接することがないから、第２ウエスト弾性体２６ｂどうし及び／又は第２ウエスト弾性体３６ｂどうしによって、着用者の胴回りに対して上下方向の広い範囲にわたって強い圧接力が集中的に作用することを抑え、肌トラブルの発生を防ぐこともできる。
【００３８】
さらには、図示例の如きプルオンタイプのおむつを乳幼児に着用させる時の母親は、先ず、ウエスト開口の周縁に沿って使用されているウエスト弾性体を伸長することによってウエスト開口を拡げ、その開口に脚を挿入させる。このときに、本発明に係るおむつ１０であれば、前ウエスト弾性域２５や後ウエスト弾性域３５の最上部に位置する第１ウエスト弾性体２６ａ，３６ａが容易に伸長して、ウエスト開口１５は大きく口を開くようになるが、第２ウエスト弾性体２６ｂ，３６ｂはそれほどまでには伸長しない。その結果として、ウエスト開口１５が開く様子は、周縁１５ａから下方に向かうに従って口径が小さくなるロート状のものになる。このような挙動をとる開口１５は、母親が手間を掛けることなく脚を挿入し易いものになるという利点を有している。
【００３９】
おむつ１０が収縮状態にあるときに、すなわちおむつ１０における弾性体が弛緩状態にあるときに、第２ウエスト弾性体２６ｂ，３６ｂのそれぞれは、第１ウエスト弾性体２６ａ，３６ａのそれぞれよりも高い伸長力を有している。そのような第２ウエスト弾性体２６ｂ，３６ｂのそれぞれは、第１ウエスト弾性体２６ａ，３６ａのそれぞれと繊度が同じであるときには、第１ウエスト弾性体２６ａ，３６ａよりも伸長倍率が高い状態で使用する。また、第２ウエスト弾性体２６ｂ，３６ｂのそれぞれは，第１ウエスト弾性体２６ａ，３６ａのそれぞれと伸長倍率が同じであるときには、第１ウエスト弾性体２６ａ，３６ａよりも繊度の高いものが使用される。
【００４０】
図５は、前ウエスト弾性体２４と後ウエスト弾性体３４とが伸長状態にあるときのおむつ１０の部分側面図であって、サイドシーム部１４の前方に位置する前ウエストパネル２０の一部分と、サイドシーム部１４の後方に位置する後ウエストパネル３０の一部分とを示している。図５に示すように、縦方向Ｙにおいて、前ウエスト弾性体２４のそれぞれと、後ウエスト弾性体３４のそれぞれとは、サイドシーム部１４を介して直線状につながることがないように配置されている。このようなおむつ１０では、前後ウエスト域１１，１２の弾性体が連続線となって腹部を締め付けることがない。ただし、図示してはいないが、複数条の前ウエスト弾性体２４のうちの一部のものと、後ウエスト弾性体３４のうちの一部のもの、又は全部のものがサイドシーム部１４を介してつながる態様で本発明を実施することもできる。このような態様では、前後ウエスト域１１，１２における前後ウエスト弾性体２４，３４の胴回り方向における収縮力に伴って、外面シート２１ｂ，３１ｂに形成される多数の細かいギャザーが胴回りを一周するようにきれいに並ぶようになる。
【００４１】
図５の前ウエストパネル２０において、前ウエスト弾性域２５では、第２ウエスト弾性体２６ｂが最下部に位置していて、コア４２Ｄと対向している。このように使用されている伸長力の高い第２ウエスト弾性体２６ｂは、おむつ着用者が座位の姿勢にあるときに吸収体４２の上端縁４２Ａ（図２参照）が腹部の前方に突出することを防ぐように作用して、着用時におけるおむつ１０の外観を良好なものにすることができる。なお、本発明において、第２ウエスト弾性体２６ｂ及び／又は第２ウエスト弾性体３６ｂが前ウエスト弾性域２５及び／又は後ウエスト弾性域３５の最下部に位置しているものである場合には、その第２ウエスト弾性体２６ａ及び／又は第２ウエスト弾性体３６ｂの伸長力を、それよりも上方に位置する前ウエスト弾性体２４及び／又は後ウエスト弾性体３４のいずれの伸長力よりも高くすることができる。
【００４２】
さらに、おむつ１０における前ウエストパネル２０では、２条の伸長力の高い第２ウエスト弾性体２６ｂがそれらの間に伸長力の低い第１ウエスト弾性体２６ａが介在する態様で縦方向Ｙに配置されている。後ウエストパネル３０でもまた、２条の伸長力の高い第２ウエスト弾性体３６ｂが、それらの間に伸長力の低い第１ウエスト弾性体３６ａが介在する態様で縦方向Ｙに配置されている。それゆえ、おむつ１０は、縦方向Ｙにおいて、前後ウエスト域の広い範囲を強く締め付けることなく着用者の肌にフィットさせることができる。
【００４３】
本発明において、後ウエストパネル３０における第１ウエスト弾性体３６ａの伸長力は、前ウエストパネル２０の第１ウエスト弾性体２６ａの伸長力と比べて、高くてもよいし、低くてもよいし、同じであってもよい。後ウエストパネル３０における第１ウエスト弾性体３６ａの伸長力が、前ウエストパネル２０における第１ウエスト弾性体２６ａの伸長力よりも大きい場合には、着用者の臀部に後ウエストパネル３０を密着させることが容易である。
【００４４】
さらに、本発明では、前ウエストパネル２０における第２ウエスト弾性体２６ｂの伸長力と、後ウエストウエストパネル３０における第２ウエスト弾性体３６ｂの伸長力とについても、第１ウエスト弾性体２６ａ，３６ａの場合と同様に調整することができる。
【００４５】
本発明では、前ウエストパネル２０においての第１及び第２ウエスト弾性体２６ａ，２６ｂ、及び後ウエストパネル３０の第１及び第２ウエスト弾性体３６ａ，３６ｂを図示例の如く配置するほかに、１条の第２ウエスト弾性体２６ｂ，３６ｂのそれぞれに対しては、ウエスト開口１５の側に位置する第１ウエスト弾性体２６ａ，３６ａと、その第２ウエスト弾性体２６ｂ，３６ｂに対してレッグ開口１６の側に位置する第１ウエスト弾性体２６ａ，３６ａとを隣接させることができる。前ウエストパネル２０と後ウエストパネル３０とにおいて、第２ウエスト弾性体２６ｂ，３６ｂに対してウエスト開口１５の側及びレッグ開口１６の側に配置する第１ウエスト弾性体２６ａ，３６ａの条数は、単数でも複数でもよいが、単数よりも複数にして、第２ウエスト弾性体２６ｂ，３６ｂの上方と下方とにおいて、前ウエストパネル２０と後ウエストパネル３０とを広い範囲において着用者の肌に沿わせ、前ウエスト域１１と後ウエスト域１２とをたるみないものにすることによって、着用したおむつ１０の外観をスリムなものにすることが好ましい。
【００４６】
［第２実施形態］
図６は、第２実施形態を示す伸展おむつ１０ａにおける後ウエストパネル３０の部分破断図であって、クロッチパネル４０の一部分が仮想線で示されている。図示例の後ウエストパネル３０では、１条の第２ウエスト弾性体３６ｂが後ウエスト弾性域３５の最下部にあって、吸収体４２の上端縁４２Ｂに隣接している。その第２ウエスト弾性体３６ｂには、第１ウエスト弾性体３６ａが上方から隣接している。第２ウエスト弾性体３６ｂと吸収体４２の上端縁４２Ｂとの離間寸法は２−１５ｍｍの範囲にあることが好ましく、そのときの第２ウエスト弾性体３６ｂは、吸収体４２の上端縁４２Ｂを着用者の肌に接触させるように作用する。図示してはいないが、前ウエストパネル２０における第２ウエスト弾性体２６ｂを吸収体４２の上端縁４２Ａに隣接するように配置して、第２ウエスト弾性体３６ｂと同様な作用効果を得ることもできる。
【００４７】
［第３実施形態］
図７は、第３実施形態を示す伸展おむつ１０ａにおける後ウエストパネル３０とクロッチパネル４０の肌対向面を示す図面である。
【００４８】
図７を参照すると、後ウエストパネル３０において、内面シート３１ａの肌対向面には、ウレタン弾性糸等の弾性繊維を含む不織布によって形成され、横方向Ｘへ弾性的に伸長、収縮可能な弾性シート部材２２ａが伸長状態で取り付けられている。弾性シート部材２２ａは、後ウエスト弾性域３５の少なくとも一部分に重なる態様で両サイドシーム部１４にまで延びていて、ドット状、スパイラル状等の適宜のパターンで塗布されたホットメルト接着剤ＨＡ４によって内面シート３１ａに取り付けられている。弾性シート部材２２ａは、後ウエストパネル３０のうちの少なくともウエスト開口１５の周縁１５ａに沿った部分がギャザーを生じることのない状態で、又は殆どギャザーを生じることのない状態で、換言すると平滑な面として着用者の肌に当接することを可能にする。また、その結果として、体液等の排泄物が後ウエストパネル３０と着用者の肌との間に生じる隙間から背中側に漏れ出ることを防ぐことができる。本発明において、弾性シート部材２２ａは、図７における態様と同じ態様で前ウエストパネル２０に取り付けることもできる。
【００４９】
図８は、第４実施形態を示す図３と同様な図である。ただし、図８における前ウエストパネル２０の肌対向面には、前ウエストパネル２０の下端縁２０Ａに沿って横方向Ｘへ延びていて、クロッチパネル４０を横断するシート部材２２ｂが取り付けられている。シート部材２２ｂは、横方向Ｘへ弾性的に伸長、収縮する弾性不織布によって形成されている。シート部材２２ｂは、横方向Ｘへ伸長された状態にあって、両端部５３がホットメルト接着剤ＨＡ５を介して内面シート２１ａに接合している。シート部材２２ｂのうちの横方向Ｘにおける中央部５６は、クロッチパネル４０に対して非接合状態にある。シート部材２２ｂの両端部５３は、脚回り弾性体４９の端部に重なった状態でクロッチパネル４０に接合している。このようなシート部材２２ｂは、肌に対向するおむつ１０の内面を平滑にして、その内面が広い範囲で肌に当接することを可能にする。また、防漏カフ部５２の縁部５２ａが前ウエストパネル２０の下端縁２０Ａよりも下方の部分で起立するように、縁部５２ａの動きを規制することができるので、縁部５２ａが前ウエストパネル２０と重なり合う部分で起立して、前ウエストパネル２０を肌から離間させるように作用することを防ぐことができる。また、縁部５２ａはシート部材２２ｂよりも下方において起立するようになるので、前ウエストパネル２０の上方部分をずり下げようとする作用が弱くなって、前ウエスト域１１は下方へずれにくくなる。また、前ウエスト域１１において、シート部材２２ｂが下方に位置し、弾性域２５が上方に位置、両者が平面視において重なることがないため、弾性体４８，４９の収縮力が弾性域２５に作用するのを抑えることができる。
【００５０】
なお、本発明において、前ウエストパネル２０における内面シート２１ａと外面シート２１ｂ及び／又は後ウエストパネル３０における内面シート３１ａと外面シート３１ｂは、ホットメルト接着剤（図示せず）で接合することができる他に、エンボス加工、好ましくは加熱下におけるエンボス加工によって接合することができる。エンボス加工によって外面シート２１ｂおよび／または外面シート３１ｂにキルト模様等の模様を画いておくと、前ウエストパネル２０や後ウエストパネル３０が横方向Ｘへ収縮するときに生じる多数のギャザーの形や分布の状態を一様なものにして、おむつ１０を外観の良いものにしたり、前ウエストパネル２０や後ウエストパネル３０を厚さ方向において弾力性のあるものにしたりすることができる。
【００５１】
プルオンタイプのおむつ１０を例にとって説明した本発明は、オープンタイプのおむつにおいて実施することもできる。
【００５２】
また、本発明は、前ウエストパネル２０と後ウエストパネル３０とクロッチパネル４０と有するプルオンタイプのおむつ１０で実施する他に、前後ウエスト域と股下域とが一体的に形成されていて、平面状に展開すると砂時計型となるプルオンタイプのおむつで実施することもできる。
【００５３】
また、おむつ１０を構成する各構成部材には、本明細書に記載されている材料の他に、当該技術分野において慣用の材料を制限なく用いることができる、また、本発明の明細書及び特許請求の範囲において、「第１」及び「第２」の用語は、類似の要素や相互の位置等を単に区別するために用いられている。
【００５４】
以上に記載した本発明に関する開示は、少なくとも下記事項に要約することができる。
着用状態で互いに交差する上下方向と横方向とを有し、前ウエスト域と、後ウエスト域と、前記前後ウエスト域間に位置するクロッチ域と、ウエスト開口と、一対のレッグ開口と、前記クロッチ域から前記前ウエスト域及び前記後ウエスト域にまで延びる吸収体とを含む使い捨ておむつにおいて、前記前後ウエスト域の少なくとも一方のウエスト域では、前記吸収体の前記縦方向における上方と前記ウエスト開口との間において前記横方向へ伸長状態で延びていて前記ウエスト域の両側縁部に届く複数条のウエスト弾性体が並列して弾性域を形成し、前記ウエスト弾性体は、第１ウエスト弾性体と第２ウエスト弾性体とを含み、前記第１ウエスト弾性体は前記第２ウエスト弾性体の伸長力よりも低い伸長力を有するものであり、前記少なくとも一方のウエスト域では、前記第１ウエスト弾性体が前記弾性域の最上部に位置し、前記第１ウエスト弾性体の下方に少なくとも１条の前記第２ウエスト弾性体が位置し、前記２条の第２ウエスト弾性体の間に前記第１ウエスト弾性体が位置し、前記上下方向において、前記前ウエスト域に位置する２条の前記第２ウエスト弾性体の端縁の位置と、前記後ウエスト域に位置する２条の前記第２ウエスト弾性体の端縁の位置とが異なる。
【００５５】
上記本発明は、少なくとも下記の実施の形態を含むことができる。
（１）前記第１ウエスト弾性体と前記第２ウエスト弾性体とを交互に配置してある。
（２）前記第２ウエスト弾性体が前記弾性域の最下部に位置している。
（３）前記上下方向において隣接する前記ウエスト弾性体の離間寸法が２．０−５．０ｍｍの範囲にある。
（４）前記前ウエスト域と前記後ウエスト域とは前記横方向に位置する側縁部どうしを互いに接合して前記ウエスト開口を形成しており、前記ウエスト弾性体は、前記前後ウエスト域のそれぞれに複数条配置されていて、互いに接合している前記側縁部において少なくとも部分的に重なり合うものを含んでいる。
（５）前記第１ウエスト弾性体の繊度は、２００−４７０ｄｔｅｘの範囲にあり、前記第２ウエスト弾性体の繊度は、４７０−７８０ｄｔｅｘの範囲にある。
（６）前記前後ウエスト域は、前記縦方向における寸法が５ｍｍの範囲内にある端縁域に前記ウエスト弾性体が配置されていない。
（７）前記後ウエスト域における前記第１ウエスト弾性体と前記第２ウエスト弾性体とのうち少なくとも一方は、その伸長力が前記前ウエスト域における少なくとも一方の弾性体よりも伸長力が高いものである。
（８）前記前後ウエスト域の少なくとも一方の肌対向面側には、前記横方向へ弾性的に伸長可能な不織布が伸長状態及び非伸長状態のいずれか一方で配置されている。
（９）前記前後ウエスト域の少なくとも一方の前記ウエスト域における着衣対向面が熱可塑性合成樹脂の不織布で形成されていて、前記不織布には、互いに離間した多数のエンボス加工部が形成されている。
（１０）前記クロッチ域は、前記吸収体の前記横方向の外側に、前記上下方向へ延びていて前記上下方向において弾性的に伸長、収縮するカフを有する。
【符号の説明】
【００５６】
１０    使い捨ておむつ
１１    前ウエスト域
１２    後ウエスト域
１３    クロッチ域
１５    ウエスト開口
１５ａ  周縁
１６    レッグ開口
２０Ａ  下端縁
２０Ｂ  上端縁
２０Ｃ  前側縁部（両側縁部）
２２ｂ  シート部材
２４    前ウエスト弾性体
２５    弾性域
２６ａ  第１ウエスト弾性体
２６ｂ  第２ウエスト弾性体
２６ｃ  弾性域
３０Ａ  下端縁
３０Ｂ  上端縁
３０Ｃ  後側縁部（両側縁部）
３５    弾性域
３４    後ウエスト弾性体
３６ａ  第１ウエスト弾性体
３６ｂ  第２ウエスト弾性体
４２Ａ  上端縁
４２Ｂ  上端縁
５２    防漏カフ部（カフ）
Ｘ      横方向
Ｙ      縦方向
【図１】
0006425583.tif 000002
【図２】
0006425583.tif 000003
【図３】
0006425583.tif 000004
【図４】
0006425583.tif 000005
【図５】
0006425583.tif 000006
【図６】
0006425583.tif 000007
【図７】
0006425583.tif 000008
【図８】
0006425583.tif 000009